(57)【要約】【課題】情報の漏洩を防止すること。【解決手段】帳票イメージデータを複数の分割イメージデータに分割するイメージデータ分割部１５と、分割イメージデータをそれぞれに含む複数の配信イメージデータを作成するスクランブル部１６と、配信イメージデータを入力者端末５−１〜５−ｎに配信するイメージデータ配信部１７と、入力者端末５−１〜５−ｎから配信イメージデータに対応する複数の変換文字情報を収集する文字情報収集部１８と、変換文字情報のうちの分割イメージデータに対応する分割文字情報を帳票イメージデータに対応づけるデスクランブル部１９とを備えている。帳票に複数の文字列からなる情報が記載されているときに、その文字列を別途に入力者８−ｉに文字情報に変換させる。このとき、入力者８−ｉは、その文字列を１つに組み合わせて再現することができないで、漏洩することができない。【選択図】図２
2004102820.tif 000002
【特許請求の範囲】
【請求項１】
帳票に記載されている図形を示す帳票イメージデータを複数の分割イメージデータに分割するイメージデータ分割部と、
前記分割イメージデータをそれぞれに含む複数の配信イメージデータを作成するスクランブル部と、
前記配信イメージデータを入力者端末に配信するイメージデータ配信部と、
前記入力者端末から前記配信イメージデータに対応する複数の変換文字情報を収集する文字情報収集部と、
前記変換文字情報のうちの前記分割イメージデータに対応する分割文字情報を前記帳票イメージデータに対応づけるデスクランブル部
とを具備するデータ入力装置。
【請求項２】
請求項１において、
前記帳票は、前記分割イメージデータに対応する複数の記載欄を備え、
前記記載欄は、
前記第１記載欄と、
前記第１記載欄に異なる第２記載欄とを含み、
前記帳票イメージデータは、
前記帳票のうちの第１帳票の第１帳票イメージデータと、
前記帳票のうちの前記第１帳票に異なる第２帳票の第２帳票イメージデータとを含み、
前記配信イメージデータは、
前記第１帳票イメージデータのうちの前記第１記載欄に対応する第１分割イメージデータと、
前記第２帳票イメージデータのうちの前記第２記載欄に対応する第２分割イメージデータとを含む
ことを特徴とするデータ入力装置。
【請求項３】
請求項２において、
前記配信イメージデータのうちの１つの配信イメージデータは、前記記載欄に対応する複数のイメージデータ部分を含む
ことを特徴とするデータ入力装置。
【請求項４】
請求項２において、
前記配信イメージデータは、
前記入力者端末のうちの第１入力者端末に配信される第１配信イメージデータと、
前記入力者端末のうちの前記第１入力者端末に異なる第２入力者端末に配信される第２配信イメージデータとを含み、
前記変換文字情報は、
前記第１入力者端末から収集される第１変換文字情報と、
前記第２入力者端末から収集される第２変換文字情報とを含み、
前記デスクランブル部は、前記第１変換文字情報のうちの前記第１分割イメージデータに対応する第１分割文字情報が前記第２変換文字情報のうちの前記第１分割イメージデータに対応する第２分割文字情報と一致しているときに、前記第１分割文字情報を前記第１帳票イメージデータに対応づける
ことを特徴とするデータ入力装置。
【請求項５】
請求項４において、
前記イメージデータ配信部は、前記第１分割文字情報が前記第２分割文字情報と一致していないときに、前記入力者端末のうちの前記第１入力者端末に異なり第２入力者端末に異なる第３入力者端末に前記第１分割イメージデータを含む他の配信イメージデータを配信する
ことを特徴とするデータ入力装置。
【請求項６】
請求項４において、
前記変換文字情報に基づいて前記入力者端末のすべてを複数のランクに対応づける入力者評価部を更に具備し、
前記ランクのうちの前記第１入力者端末に対応する第１ランクは、前記ランクのうちの前記第２入力者端末に対応する第２ランクに異なる
ことを特徴とするデータ入力装置。
【請求項７】
帳票に記載されている図形を示す帳票イメージデータを複数の分割イメージデータに分割するステップと、
前記分割イメージデータをそれぞれに含む複数の配信イメージデータを作成するステップと、
前記配信イメージデータを入力者端末に配信するステップと、
前記入力者端末から前記配信イメージデータに対応する複数の変換文字情報を収集するステップと、
前記変換文字情報のうちの前記分割イメージデータに対応する分割文字情報を前記帳票イメージデータに対応づけるステップ
とを具備するデータ入力方法。
【請求項８】
請求項７において、
前記帳票は、前記分割イメージデータに対応する複数の記載欄を備え、
前記記載欄は、
前記第１記載欄と、
前記第１記載欄に異なる第２記載欄とを含み、
前記帳票イメージデータは、
前記帳票のうちの第１帳票の第１帳票イメージデータと、
前記帳票のうちの前記第１帳票に異なる第２帳票の第２帳票イメージデータとを含み、
前記配信イメージデータは、
前記第１帳票イメージデータのうちの前記第１記載欄に対応する第１分割イメージデータと、
前記第２帳票イメージデータのうちの前記第２記載欄に対応する第２分割イメージデータとを含む
ことを特徴とするデータ入力方法。
【請求項９】
請求項８において、
前記配信イメージデータのうちの１つの配信イメージデータは、前記記載欄に対応する複数のイメージデータ部分を含む
ことを特徴とするデータ入力方法。
【請求項１０】
請求項８において、
前記配信イメージデータは、
前記入力者端末のうちの第１入力者端末に配信される第１配信イメージデータと、
前記入力者端末のうちの前記第１入力者端末に異なる第２入力者端末に配信される第２配信イメージデータとを含み、
前記変換文字情報は、
前記第１入力者端末から収集される第１変換文字情報と、
前記第２入力者端末から収集される第２変換文字情報とを含み、
前記第１変換文字情報のうちの前記第１分割イメージデータに対応する第１分割文字情報が前記第２変換文字情報のうちの前記第１分割イメージデータに対応する第２分割文字情報と一致しているときに、前記第１分割文字情報は、前記第１帳票イメージデータに対応づけられる
ことを特徴とするデータ入力方法。
【請求項１１】
請求項１０において、
前記第１分割文字情報が前記第２分割文字情報と一致していないときに、前記入力者端末のうちの前記第１入力者端末に異なり第２入力者端末に異なる第３入力者端末に前記第１分割イメージデータを含む他の配信イメージデータは配信される
ことを特徴とするデータ入力方法。
【請求項１２】
請求項１０において、
前記変換文字情報に基づいて前記入力者端末のすべてを複数のランクに対応づけるステップを更に具備し、
前記ランクのうちの前記第１入力者端末に対応する第１ランクは、前記ランクのうちの前記第２入力者端末に対応する第２ランクに異なる
ことを特徴とするデータ入力方法。
【発明の詳細な説明】
【０００１】
【発明の属する技術分野】
本発明は、データ入力装置及びデータ入力方法に関し、特に、手書きされた文字列を情報処理装置により処理することができる文字情報に変換するデータ入力装置及びデータ入力方法に関する。
【０００２】
【従来の技術】
紙媒体（帳票）に手書きされた文字列（記号、図形）を情報処理装置（コンピュータ）に処理することができる文字情報に変換するデータ入力が実施されている。このようなデータ入力は、一般に、入力者が帳票を見ながらキーボードを用いてコンピュータにその文字列を入力することにより実行される。このようなデータ入力は、その文字情報が漏洩することを防止することが望まれ、間違いが少ないことが望まれている。
【０００３】
公知のデータ入力は、互いに接続されているサーバーと複数の端末とを用いて実行される。その端末は、外部の記録媒体に出力することができない。複数の入力者は、それぞれ、帳票に記載された文字列を端末に入力する。このようなデータ入力によれば、情報は、入力者から大量に漏洩することが防止される。さらに、１つの帳票は、異なる複数の入力者により文字情報に変換され、入力された文字情報は、サーバに収集される。サーバは、その文字情報が互いに一致しているかどうかを判別することにより、間違っているかどうかを判別する。このような判別により、データ入力の間違いが低減される。サーバは、さらに、その文字情報を編集して顧客に納品する。このようなデータ入力は、さらに、コストを低減することが望まれている。
【０００４】
人手を用いないで手書きされた文字列を識別して文字情報に変換する文字認識装置（ＯＣＲ）が知られている。このような文字認識装置は、人手を用いたデータ入力と比較して精度が低い。人手を用いてデータ入力することが望まれている。
【０００５】
【発明が解決しようとする課題】
本発明の課題は、情報の漏洩を防止するデータ入力装置及びデータ入力方法を提供することにある。
本発明の他の課題は、情報の漏洩を防止し、且つ、コストを低減するデータ入力装置及びデータ入力方法を提供することにある。
本発明のさらに他の課題は、間違いが少なく、情報の漏洩を防止し、且つ、コストを低減するデータ入力装置及びデータ入力方法を提供することにある。
【０００６】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００７】
本発明によるデータ入力装置（３）は、イメージデータ分割部（１５）と、スクランブル部（１６）と、イメージデータ配信部（１７）と、文字情報収集部（１８）と、デスクランブル部（１９）とを備えている。イメージデータ分割部（１５）は、帳票（６１）に記載されている図形を示す帳票イメージデータを複数の分割イメージデータに分割する。スクランブル部（１６）は、分割イメージデータをそれぞれに含む複数の配信イメージデータを作成する。イメージデータ配信部（１７）は、配信イメージデータを入力者端末（５−１〜５−ｎ）に配信する。入力者（８−１〜８−ｎ）は、入力者端末（５−１〜５−ｎ）を用いて、配信イメージデータをそれぞれ複数の変換文字情報に変換する。文字情報収集部（１８）は、入力者端末（５−１〜５−ｎ）から配信イメージデータに対応する複数の変換文字情報を収集する。デスクランブル部（１９）は、変換文字情報のうちの分割イメージデータに対応する分割文字情報を帳票イメージデータに対応づける。
【０００８】
たとえば、帳票に複数の文字列からなる情報が記載されているときに、本発明によるデータ入力装置（３）は、その文字列をそれぞれ別個の配信イメージデータに分割して、入力者（８−１〜８−ｎ）にその配信イメージデータを文字情報に変換させる。このとき、入力者（８−１〜８−ｎ）は、１つの帳票に記載されていた複数の文字列を１つに組み合わせて再現することができない。この結果、帳票に記載されていた情報が入力者（８−１〜８−ｎ）から漏洩することを防止することができる。
【０００９】
帳票（６１）は、手書きの文字列が記載され、分割イメージデータに対応する複数の記載欄（６２〜６５）を備えている。記載欄（６２〜６５）は、第１記載欄（６２）と、第１記載欄（６２）に異なる第２記載欄（６３）とを含んでいる。帳票イメージデータは、帳票（６１）のうちの第１帳票の第１帳票イメージデータと、帳票（６１）のうちの第１帳票に異なる第２帳票の第２帳票イメージデータとを含んでいる。配信イメージデータは、第１帳票イメージデータのうちの第１記載欄（６２）に対応する第１分割イメージデータと、第２帳票イメージデータのうちの第２記載欄（６３）に対応する第２分割イメージデータとを含むことが好ましい。
【００１０】
配信イメージデータのうちの１つの配信イメージデータは、記載欄（６２〜６５）に対応する複数のイメージデータ部分を含む。このとき、１つの配信イメージデータは、実際には存在しない複数の文字列の組み合わせが記載されている１枚の帳票を示している。このとき、その配信イメージデータまたはそれに対応する変換文字情報を盗んだ者は、そのデータが実際に存在するかどうかを確認することができない点でさらに好ましい。
【００１１】
配信イメージデータは、入力者端末（５−１〜５−ｎ）のうちの第１入力者端末（５−１）に配信される第１配信イメージデータと、入力者端末（５−１〜５−ｎ）のうちの第１入力者端末（５−１）に異なる第２入力者端末（５−２）に配信される第２配信イメージデータとを含んでいる。変換文字情報は、第１入力者端末（５−１）から収集される第１変換文字情報と、第２入力者端末（５−２）から収集される第２変換文字情報とを含んでいる。すなわち、１つの分割イメージデータは、２人の入力者（８−１、８−２）により文字情報に変換される。デスクランブル部（１９）は、第１変換文字情報のうちの第１分割イメージデータに対応する第１分割文字情報が第２変換文字情報のうちの第１分割イメージデータに対応する第２分割文字情報と一致しているときに、第１分割文字情報を第１帳票イメージデータに対応づける。このとき、第１分割文字情報は、間違っている確率が低く、好ましい。
【００１２】
イメージデータ配信部（１７）は、第１分割文字情報が第２分割文字情報と一致していないときに、入力者端末（５−１〜５−ｎ）のうちの第１入力者端末（５−１）に異なり第２入力者端末（５−２）に異なる第３入力者端末（５−３）に第１分割イメージデータを含む他の配信イメージデータを配信することがより正確な文字情報に変換される点で好ましい。
【００１３】
本発明によるデータ入力装置（３）は、変換文字情報に基づいて入力者端末（５−１〜５−ｎ）のすべてを複数のランクに対応づける入力者評価部（２０）を更に備えている。第１入力者端末（５−１）に対応する第１ランクは、第２入力者端末（５−２）に対応する第２ランクに異なることが好ましい。
【００１４】
本発明によるデータ入力方法は、帳票（６１）に記載されている図形を示す帳票イメージデータを複数の分割イメージデータに分割するステップ（Ｓ２）と、分割イメージデータをそれぞれに含む複数の配信イメージデータを作成するステップ（Ｓ２）と、配信イメージデータを入力者端末（５−１〜５−ｎ）に配信するステップ（Ｓ３）と、入力者端末（５−１〜５−ｎ）から配信イメージデータに対応する複数の変換文字情報を収集するステップ（Ｓ５）と、変換文字情報のうちの分割イメージデータに対応する分割文字情報を帳票イメージデータに対応づけるステップ（Ｓ６）とを備えている。入力者（８−１〜８−ｎ）は、入力者端末（５−１〜５−ｎ）を用いて、配信イメージデータをそれぞれ複数の変換文字情報に変換する。
【００１５】
たとえば、帳票に複数の文字列からなる情報が記載されているときに、本発明によるデータ入力装置（３）は、その文字列をそれぞれ別個の配信イメージデータに分割して、入力者（８−１〜８−ｎ）にその配信イメージデータを文字情報に変換させる。このとき、入力者（８−１〜８−ｎ）は、１つの帳票に記載されていた複数の文字列を１つに組み合わせて再現することができない。この結果、帳票に記載されていた情報が入力者（８−１〜８−ｎ）から漏洩することを防止することができる。
【００１６】
帳票（６１）は、手書きの文字列が記載され、分割イメージデータに対応する複数の記載欄（６２〜６５）を備えている。記載欄（６２〜６５）は、第１記載欄（６２）と、第１記載欄（６２）に異なる第２記載欄（６３）とを含んでいる。帳票イメージデータは、帳票（６１）のうちの第１帳票の第１帳票イメージデータと、帳票（６１）のうちの第１帳票に異なる第２帳票の第２帳票イメージデータとを含んでいる。配信イメージデータは、第１帳票イメージデータのうちの第１記載欄（６２）に対応する第１分割イメージデータと、第２帳票イメージデータのうちの第２記載欄（６３）に対応する第２分割イメージデータとを含むことが好ましい。
【００１７】
配信イメージデータのうちの１つの配信イメージデータは、記載欄（６２〜６５）に対応する複数のイメージデータ部分を含む。このとき、１つの配信イメージデータは、実際には存在しない複数の文字列の組み合わせが記載されている１枚の帳票を示している。このとき、その配信イメージデータまたはそれに対応する変換文字情報を盗んだ者は、そのデータが実際に存在するかどうかを確認することができない点でさらに好ましい。
【００１８】
配信イメージデータは、入力者端末（５−１〜５−ｎ）のうちの第１入力者端末（５−１）に配信される第１配信イメージデータと、入力者端末（５−１〜５−ｎ）のうちの第１入力者端末（５−１）に異なる第２入力者端末（５−２）に配信される第２配信イメージデータとを含んでいる。変換文字情報は、第１入力者端末（５−１）から収集される第１変換文字情報と、第２入力者端末（５−２）から収集される第２変換文字情報とを含んでいる。すなわち、１つの分割イメージデータは、２人の入力者（８−１、８−２）により文字情報に変換される。第１変換文字情報のうちの第１分割イメージデータに対応する第１分割文字情報が第２変換文字情報のうちの第１分割イメージデータに対応する第２分割文字情報と一致しているときに、第１分割文字情報は、第１帳票イメージデータに対応づけられる。このとき、第１分割文字情報は、間違っている確率が低く、好ましい。
【００１９】
第１分割文字情報が第２分割文字情報と一致していないときに、入力者端末（５−１〜５−ｎ）のうちの第１入力者端末（５−１）に異なり第２入力者端末（５−２）に異なる第３入力者端末（５−３）に第１分割イメージデータを含む他の配信イメージデータは、配信されることがより正確な文字情報に変換される点で好ましい。
【００２０】
変換文字情報に基づいて入力者端末（５−１〜５−ｎ）のすべてを複数のランクに対応づけるステップを更に備えている。ランクのうちの第１入力者端末（５−１）に対応する第１ランクは、ランクのうちの第２入力者端末（５−２）に対応する第２ランクに異なることが好ましい。
【００２１】
【発明の実施の形態】
図面を参照して、本発明によるデータ入力装置が適用されるデータ入力システムの実施の形態を説明する。そのデータ入力システム１は、図１に示されているように、インターネット２を介して複数の情報処理装置（コンピュータ）が互いに双方向に情報を伝送することができるように接続されている。その複数の情報処理装置は、データ入力装置３、顧客端末４および複数の入力者端末５−１〜５−ｎ（ｎ＝２，３，４，…）から形成されている。
【００２２】
データ入力装置３は、ワークステーションに例示される情報処理装置であり、データ入力業者６に属している。データ入力業者６は、さらに、イメージスキャナ９を有している。イメージスキャナ９は、筆記具により紙に記載された文字、図形を情報処理装置で処理することができるイメージデータに変換する。顧客端末４は、パーソナルコンピュータに例示される情報処理装置であり、顧客７に属している。入力者端末５−ｉ（ｉ＝１，２，３，…，ｎ）は、パーソナルコンピュータに例示される情報処理装置であり、入力者８−ｉに属している。入力者端末５−ｉは、図示されていない入力装置、表示装置を備えている。
【００２３】
顧客７は、アンケートを実施する業者である。すなわち、顧客７は、公衆または特定の人にアンケートが記載されたアンケート葉書きを配布して、そのアンケート葉書きをアンケート回答者に返信させて収集する。そのアンケート葉書きには、アンケート回答者の個人情報とアンケートの回答とが手書きにより記載されている。顧客７は、さらに、データ入力業者６に依頼して、返信されたアンケート葉書きに記載された手書きの文字を情報処理装置で処理することができる文字情報に変換する。
【００２４】
データ入力業者６は、そのアンケート葉書きに例示される帳票に記載された手書きの文字を情報処理装置で処理することができる文字情報に変換する業者である。データ入力業者６は、入力者８−１〜８−ｎを雇用している。データ入力業者６と入力者８−１〜８−ｎとは、通信内容を他者に開示しないように契約している。データ入力業者６は、さらに、インターネット２に接続可能なパーソナルコンピュータを有する者を募集し、応募した人を入力者８−ｊとして登録して管理している。このとき、データ入力業者６は、登録された入力者８−ｊに入力者ＩＤとパスワードとプログラムとを提供する。そのプログラムは、データ入力装置３から送信されたイメージデータを受信して表示し、文字情報をデータ入力装置３に送信するときに利用される。
【００２５】
入力者端末５−１〜５−ｎは、任意の場所に配置され、入力者８−１〜８−ｎは、大都市（例示：首都）以外の地方に住居している者を含んでいる。従業員に支払われる賃金は、一般的に地域により異なり、大都市圏より地方の賃金が低い。このような入力者８−１〜８−ｎは、データ入力にかかるコストを低減し好ましい。入力者８−ｉは、入力者端末５−ｉを用いて、データ入力業者６から帳票のイメージデータを受信し、帳票に記載された文字を情報処理装置で処理することができる文字情報に変換してデータ入力業者６に返信する。入力者８−１〜８−ｎは、さらに、データ入力業者６により入力するスキルに基づいてランクがつけられている。このような入力者８−１〜８−ｎの人数は、容易に拡大することができ、データ入力業者６は、データ入力の業務を容易に拡大することができる。
【００２６】
図２は、データ入力装置３を詳細に示している。データ入力装置３は、コンピュータプログラムである帳票イメージデータベース１１、入力者データベース１２、分割イメージデータベース１３、イメージデータ収集部１４、イメージデータ分割部１５、スクランブル部１６、イメージデータ配信部１７、文字情報収集部１８、デスクランブル部１９、入力者評価部２０およびデータ入力サイト２１を備えている。
【００２７】
帳票イメージデータベース１１は、アンケート葉書きのイメージデータを記録している。入力者データベース１２は、入力者８−１〜８−ｎの個人情報を記録している。分割イメージデータベース１３は、アンケート葉書きのイメージデータを分割した分割イメージデータを記録している。
【００２８】
イメージデータ収集部１４は、アンケート葉書きの葉書きイメージデータをイメージスキャナ９から収集する。イメージデータ分割部１５は、葉書きイメージデータを複数の分割イメージデータに分割する。スクランブル部１６は、複数の分割イメージデータを組み合わせて、配信イメージデータを作成する。その複数の分割イメージデータは、それぞれ互いに異なる葉書きイメージデータに属していたものであり、それぞれ対応する葉書きの部分が異なっている。イメージデータ配信部１７は、スクランブル部１６により作成された配信イメージデータを入力者端末５−１〜５−ｎに配信する。
【００２９】
文字情報収集部１８は、入力者端末５−１〜５−ｎから配信イメージデータに基づいて変換された文字情報を収集する。デスクランブル部１９は、入力者端末５−１〜５−ｎから収集された文字情報に基づいてアンケート葉書きに記載された文字情報を作成する。入力者評価部２０は、入力者端末５−１〜５−ｎから収集された文字情報に基づいて、入力者８−１〜８−ｎを評価して複数のランクに対応付ける。データ入力業務サイト２１は、ウェブサイトであり、データ入力業務に関する複数のウェブページの集合であり、そのウェブページをインターネット２に公開している。そのウェブページは、公衆に入力者８−ｉに登録する方法を示し、入力者８−１〜８−ｎにデータ入力業務を受諾する方法を示している。入力者８−ｉは、データ入力業務サイト２１にアクセスして、データ入力業務を要求することができる。
【００３０】
図３は、帳票イメージデータベース１１を示している。帳票イメージデータベース１１は、葉書きＩＤ３１に対応づけて、葉書きイメージデータ３２および文字情報３３を記録している。葉書きＩＤ３１は、複数のアンケート葉書きを互いに識別する情報である。葉書きＩＤ３１としては、通し番号が例示される。葉書きイメージデータ３２は、そのアンケート葉書きに記載されている図形を示している。たとえば、帳票イメージデータベース１１は、葉書きＩＤ３１が「ａ００００１」であるアンケート葉書きの葉書きイメージデータをファイル「ａ００００１．ｔｉｆ」に記録している。文字情報３３は、そのアンケート葉書きに記載された文字列を示している。帳票イメージデータベース１１は、初期的に、葉書きＩＤ３１と葉書きイメージデータ３２とのみを記録し、入力者端末５−１〜５−ｎにより変換された後に、文字情報が記録される。
【００３１】
図４は、入力者データベース１２を示している。入力者データベース１２は、入力者ＩＤ４１に対応づけて、ランク４２とメールアドレス４３とを記録している。入力者ＩＤ４１は、入力者８−１〜８−ｎを互いに識別する情報であり、入力者に提供された入力者ＩＤとパスワードとを示している。ランク４２は、入力者８−ｉのランクを示している。メールアドレス４３は、入力者８−ｉの入力者端末５−ｉのメールアドレスを示している。
【００３２】
図５は、分割イメージデータベース１３を示している。分割イメージデータベース１３は、分割イメージデータ５１を記録している。分割イメージデータ５１は、イメージデータ分割部１５により分割された分割イメージデータと、その分割イメージデータが分割される前の帳票イメージデータの葉書きＩＤ３１とを対応づけている。たとえば、分割イメージデータベース１３は、葉書きＩＤ３１が「ａ００００１」であるアンケート葉書きの部分を示す分割イメージデータをファイル「ａ００００１＿００１．ｔｉｆ」に記録している。
【００３３】
分割イメージデータベース１３は、さらに、分割イメージデータ５１に対応づけて、１人目入力者ＩＤ５２、文字情報５３、２人目入力者ＩＤ５４、文字情報５５、３人目入力者ＩＤ５６および文字情報５７を記録している。イメージデータ配信部１７は、１つの分割イメージデータを含む３つの配信イメージデータをそれぞれ３人の入力者８−１〜８−３に送信する。１人目入力者ＩＤ５２は、たとえば、入力者８−１のＩＤを示している。このとき、文字情報５３は、その文字情報は、入力者８−１により変換された文字列を示している。２人目入力者ＩＤ５４は、たとえば、入力者８−２のＩＤを示している。このとき、文字情報５５は、入力者８−２により変換された文字列を示している。３人目入力者ＩＤ５６は、たとえば、入力者８−３のＩＤを示している。このとき、文字情報５７は、入力者８−３により変換された文字列を示している。
【００３４】
分割イメージデータベース１３は、さらに、分割イメージデータ５１に対応づけて、ｍ人目入力者ＩＤ５８（ｍ＝４，３，６，…，ｎ）と文字情報５９とを記録している。イメージデータ配信部１７は、たとえば、３人の入力者８−１〜８−３が互いに異なる文字情報に変換したときに、さらに、他の入力者８−ｎにその分割イメージデータを含む配信イメージデータを配信する。ｍ人目入力者ＩＤ５８は、このとき、入力者８−ｎのＩＤを示している。文字情報５９は、その文字情報は、入力者８−ｎにより変換された文字列を示している。
【００３５】
図６は、アンケート葉書きを示している。そのアンケート葉書き６１は、アンケート回答者の個人情報が記載される複数の記載欄を備えている。その複数の記載欄は、住所記載欄６２、氏名記載欄６３、電話番号記載欄６４および回答記載欄６５を含んでいる。アンケート葉書き６１は、記載欄６２〜６５が配置されている位置がそれぞれ決められている。
【００３６】
アンケート葉書き６１は、顧客７により公衆に配布される。その公衆のうちのアンケート回答者は、アンケート葉書き６１の記載欄６２〜６５に筆記具を用いて手書きで個人情報を記入して、アンケート葉書き６１を顧客７に送付する。
【００３７】
イメージデータ分割部１５は、記載欄６２〜６５をそれぞれ含む複数の分割イメージデータに葉書きイメージデータを分割する。スクランブル部１６は、複数の分割イメージデータを組み合わせて、配信イメージデータを作成する。その複数の分割イメージデータは、記載欄６２〜６５をそれぞれ含み、それぞれ互いに異なる葉書きイメージデータに属していたものである。
【００３８】
たとえば、３枚のアンケート葉書きの葉書きイメージデータＡ、Ｂ、Ｃ、Ｄがあるときに、スクランブル部１５は、葉書きイメージデータＡの住所記載欄６２を示す部分である分割イメージデータ、葉書きイメージデータＢの氏名記載欄６３を示す部分である分割イメージデータ、葉書きイメージデータＣの電話番号記載欄６４を示す部分である分割イメージデータおよび葉書きイメージデータＤの回答記載欄６５を示す部分である分割イメージデータを組み合わせて配信イメージデータを作成する。このような配信イメージデータは、実際に存在しない個人情報を示し、そのままでは使用することができない。このような配信イメージデータは、実際の１人のアンケート回答者の個人情報に見える点で好ましい。
【００３９】
記載欄６２〜６４は、さらに細かく区切られることができる。たとえば、住所記載欄６２は、都道府県名、郡市町村名、地区名が記載される記載欄と、丁目、番地が記載される記載欄とに分割することができる。氏名記載欄６３は、姓が記載される記載欄と、名が記載される記載欄とに分割することができる。電話番号記載欄６４は、市外局番が記載される記載欄と、市内局番が記載される記載欄と、市内番号が記載される記載欄とに分割することができる。このとき、このような配信イメージデータは、データ入力業者６以外の者が個人情報に再現することがより困難であり好ましい。
【００４０】
イメージデータ配信部１７は、１人の入力者８−ｉに同一の分割イメージデータを送信しないように、配信イメージデータを選択して入力者端末５−ｉに送信する。
【００４１】
本発明によるデータ入力方法は、データ入力システム１を用いて実行される。本発明によるデータ入力方法は、イメージスキャナ９から葉書きイメージデータを収集する動作、葉書きイメージデータを文字情報に変換する動作および変換された文字情報をアンケート葉書きに対応づける動作を備えている。データ入力装置３は、本発明によるデータ入力方法で情報を通信するときに、その情報を暗号化している。
【００４２】
データ入力装置３は、まず、イメージスキャナ９から葉書きイメージデータを収集する動作を実行する。すなわち、データ入力業者６は、顧客７から記入済みのアンケート葉書き６１を受け取り、イメージスキャナ９を用いてアンケート葉書き６１に記載されている文字を読み取り、情報処理装置により処理することができる葉書きイメージデータを作成する。その葉書きイメージデータは、帳票イメージデータベース１１に記録される。その葉書きイメージデータは、さらに、複数の記載欄６２〜６５をそれぞれ示す複数の分割イメージデータに分割されて、その分割イメージデータは、分割イメージデータベース１３に記録される。
【００４３】
図７は、葉書きイメージデータを文字情報に変換する動作を示している。データ入力業者６は、まず、データ入力業務サイト２１を用いて、データ入力業務があることを公開する。または、データ入力業者６は、緊急に変換すべき葉書きイメージデータを記録しているときに、入力者８−１〜８−ｎにデータ入力業務するように要求する電子メールを送信する。入力者８−ｉは、入力者端末５−ｉを用いて入力者ＩＤとパスワードとをデータ入力装置３に送信して、文字情報に変換すべき配信イメージデータを要求する（ステップＳ１）。
【００４４】
データ入力装置３は、その要求に応答して、配信イメージデータを作成する（ステップＳ２）。入力者８−ｉは、入力者端末５−ｉを用いて配信イメージデータを閲覧し、アンケート葉書きに記載されている文字情報を入力者端末５−ｉに入力する（ステップＳ４）。入力者端末５−ｉは、入力された文字情報をデータ入力装置３に送信する（ステップＳ５）。データ入力装置３は、収集された文字情報を分割イメージデータ毎に分割して分割イメージデータベース１３に記録する（ステップＳ６）。
【００４５】
図８は、変換された文字情報をアンケート葉書きに対応づける動作を示している。データ入力装置３は、図７の動作を繰り返して、１つの分割イメージデータに対応する３つの文字情報を異なる３人の入力者８−１〜８−３から収集する（ステップＳ１１）。データ入力装置３は、その３つの文字情報を比較する（ステップＳ１２）。データ入力装置３は、３つの文字情報が互いに異なっているときに、図７の動作を再度実行して他の入力者８−ｎからその分割イメージデータに対応する文字情報を収集する（ステップＳ１３）。データ入力装置３は、その分割イメージデータに対応する複数の文字情報を比較する（ステップＳ１４）。データ入力装置３は、その複数の文字情報が互いに異なっているときに、再度ステップＳ１３を実行して、さらに他の入力者８−ｉからその分割イメージデータに対応する文字情報を収集する。
【００４６】
データ入力装置３は、複数の文字情報の中に一致する２つの文字情報があるときに（ステップＳ１２；有り、ステップＳ１４；有り）、その一致する文字情報をその分割イメージデータに対応づける（ステップＳ１５）。データ入力装置３は、さらに、その分割イメージデータに対応づけられた文字情報を組み合わせて、１つのアンケート葉書きに記載された情報を作成して顧客端末４に送信して納品する。データ入力装置３は、さらに、変換した文字情報が一致したかどうかに基づいて、入力者８−ｉを評価してランクを対応づける。
【００４７】
【発明の効果】
本発明によるデータ入力装置及びデータ入力方法は、手書きされた文字列を情報処理装置により処理することができる文字情報に変換する際に、その文字情報の漏洩を防止することができる。
【図面の簡単な説明】
【図１】図１は、本発明によるデータ入力装置が適用されるデータ入力システムの実施の形態を示すブロック図である。
【図２】図２は、本発明によるデータ入力装置の実施の形態を示すブロック図である。
【図３】図３は、帳票イメージデータベースを示す図である。
【図４】図４は、入力者データベースを示す図である。
【図５】図５は、分割イメージデータベースを示す図である。
【図６】図６は、アンケート葉書きを示す図である。
【図７】図７は、葉書きイメージデータを文字情報に変換する動作の実施の形態を示すフローチャートである。
【図８】図８は、文字情報をアンケート葉書きに対応づける動作の実施の形態を示すフローチャートである。
【符号の説明】
１　：データ入力システム
２　：インターネット
３　：データ入力装置
４　：顧客端末
５−１〜５−ｎ：入力者端末
６　：データ入力業者
７　：顧客
８−１〜８−ｎ：入力者
９　：イメージスキャナ
１１：帳票イメージデータベース
１２：入力者データベース
１３：分割イメージデータベース
１４：イメージデータ収集部
１５：イメージデータ分割部
１６：スクランブル部
１７：イメージデータ配信部
１８：文字情報収集部
１９：デスクランブル部
２０：入力者評価部
２１：データ入力業務サイト
３１：葉書きＩＤ
３２：葉書きイメージデータ
３３：文字情報
４１：入力者ＩＤ
４２：ランク
４３：メールアドレス
５１：分割イメージデータ
５２：１人目入力者ＩＤ
５３：文字情報
５４：２人目入力者ＩＤ
５５：文字情報
５６：３人目入力者ＩＤ
５７：文字情報
５８：ｍ人目入力者ＩＤ
５９：文字情報
６１：アンケート葉書き
６２：住所記載欄
６３：氏名記載欄
６４：電話番号記載欄
６５：回答記載欄
【図１】
2004102820.tif 000003
【図２】
2004102820.tif 000004
【図３】
2004102820.tif 000005
【図４】
2004102820.tif 000006
【図５】
2004102820.tif 000007
【図６】
2004102820.tif 000008
【図７】
2004102820.tif 000009
【図８】
2004102820.tif 000010